(57)【要約】【課題】  簡単な構造で光源から発生する熱による温度上昇を抑制することができる電子機器を提供する。【解決手段】  光源３２から射出される光により表示部３８に表示された画像を読み出し投影する投影部３０と、前記投影部を収容し、前記投影部近傍に開口部８を備える筐体４と、前記開口部を開閉可能とするために設けられ、開状態において前記投影部を露出させる扉１２とを備える。【選択図】  図２
2010181758.tif 000002
【特許請求の範囲】
【請求項１】
光源から射出される光により表示部に表示された画像を読み出し投影する投影部と、
前記投影部を収容し、前記投影部近傍に開口部を備える筐体と、
前記開口部を開閉可能とするために設けられ、開状態において前記投影部を露出させる扉と
を備えることを特徴とする電子機器。
【請求項２】
前記扉は開状態において更に前記画像を投影面に対して投影する投影窓を露出させることを特徴とする請求項１記載の電子機器。
【請求項３】
前記扉は、開状態において前記光源近傍を露出させることを特徴とする請求項１または２記載の電子機器。
【請求項４】
前記扉の開閉状態を検知する開閉検知部を更に備え、
前記扉が開状態となった場合には前記投影部により投影を行う投影モードに設定することを特徴とする請求項１〜３の何れか一項に記載の電子機器。
【請求項５】
前記扉の開閉を行うための開閉操作部を更に備え、
前記扉が開状態となった場合には前記投影部により投影を行う投影モードに設定することを特徴とする請求項１〜３の何れか一項に記載の電子機器。
【請求項６】
被写体を撮像する撮像部を更に備えたカメラであることを特徴とする請求項１〜５の何れか一項に記載の電子機器。
【発明の詳細な説明】
【技術分野】
【０００１】
本発明は、電子機器に関するものである。
【背景技術】
【０００２】
プロジェクタを備えた電子機器が知られている（例えば、特許文献１参照）。この電子機器においては、プロジェクタの光源であるＬＥＤから発生する熱による温度上昇を、放熱部材と冷却ファンで構成された冷却ブロックを用いて抑制している。
【先行技術文献】
【特許文献】
【０００３】
【特許文献１】特開２００７−２７１９１１号公報
【発明の概要】
【発明が解決しようとする課題】
【０００４】
しかし、この電子機器においては、放熱のためにさまざまな装置を用いるため構造が複雑になるという問題があった。
【０００５】
本発明の目的は、簡単な構造で光源から発生する熱による温度上昇を抑制することができる電子機器を提供することである。
【課題を解決するための手段】
【０００６】
本発明の電子機器は、光源から射出される光により表示部に表示された画像を読み出し投影する投影部と、前記投影部を収容し、前記投影部近傍に開口部を備える筐体と、前記開口部を開閉可能とするために設けられ、開状態において前記投影部を露出させる扉とを備えることを特徴とする。
【発明の効果】
【０００７】
本発明の電子機器によれば、簡単な構造で光源から発生する熱を外部に放出することができる。
【図面の簡単な説明】
【０００８】
【図１】本発明の第１の実施の形態に係るカメラの閉扉状態における前面を示す斜視図である。
【図２】本発明の第１の実施の形態に係るカメラの開扉状態を示す正面図である。
【図３】本発明の第２の実施の形態に係るカメラの前面を示す斜視図である。
【図４】本発明の第３の実施の形態に係るカメラの前面を示す斜視図である。
【発明を実施するための形態】
【０００９】
以下、図面を参照して本発明の第１の実施の形態に係る電子機器についてプロジェクタを備えたカメラを例に説明する。図１は、実施の形態に係るカメラの閉扉状態における前面を示す斜視図である。カメラ２はプロジェクタを備えるデジタルカメラであって、筐体４を備え、筐体４の前面には、開口部８（図２参照）、被写体光を入射させる撮影窓１０、開口部８を開閉可能に設けられた扉であるスライドカバー１２、被写体を照射する光を射出するフラッシュ窓１４が設けられている。また、筐体４の上面には、電源スイッチ１６、レリーズ指示を行うレリーズボタン１８、プロジェクタにより投影される画像のピント合わせを行うためのフォーカスレバー２０、カメラ撮影を行う撮影モードとプロジェクタ投影を行うプロジェクタモードとを切り換える切換ボタン２２が設けられている。
【００１０】
図２は、実施の形態に係るカメラの開扉状態を示す正面図である。スライドカバー１２は、下部にピニオンギア２６に係合したラックギア２４を備えている。図示しないモータの回転軸に固定されたピニオンギア２６が駆動されると、スライドカバー１２は、筐体４の前面に沿って摺動し開口部８の開閉を行う。また、カメラ２の内部には、被写体を撮像するための撮像素子を有する鏡筒ユニット２８と、投影用光学像を投影するための光学系等を有するプロジェクタユニット３０とが設けられ、プロジェクタユニット３０はスライドカバー１２が開状態となった場合には露出し、カメラ２の正面から視認可能となる。
【００１１】
また、プロジェクタユニット３０は光源であるＬＥＤ（発光ダイオード）３２、ＬＥＤ３２から射出された光を略平行とするための集光レンズ３４、入射した光をＰ偏光成分の光とＳ偏光成分の光とに分離する偏光ビームスプリッタ３６、プロジェクタユニット３０により投影する画像を表示するＬＣＯＳ（反射型液晶素子）３８、投影用光学像を投影するための投影レンズ４０及び投影レンズ４０から射出された光学像の投影方向を偏向させるための図示しないミラーを備え、投影画像は投影窓４２から投影面に対して射出される。
【００１２】
本実施の形態に係るカメラにおいては、電源スイッチ１６の操作により撮影モードとして起動し、切換ボタン２２が操作されると、スライドカバー１２は、図１に示す位置から図２に示す位置へ移動し、プロジェクタモードに切り換えられる。また、このとき、ＬＥＤ３２を点灯し投影を開始してもよい。この場合には、ＬＥＤ３２から発生する熱は開口部８から筐体４の外部へ放出される。
【００１３】
プロジェクタモードでの起動中に切換ボタン２２が操作されると、スライドカバー１２は図２に示す位置から図１に示す位置へ移動し、撮影モードに切り換えられる。また、プロジェクタモードでの起動中に電源スイッチ１６が操作された場合には、スライドカバー１２は図２に示す位置から図１に示す位置へ移動し、カメラ２の電源のオフを行う。
【００１４】
本実施の形態に係るカメラによれば、簡単な構造で光源から発生する熱を外部に放出することができる。
【００１５】
また、光源近傍を露出させるため、効率よく放熱を行うことができる。
【００１６】
また、スライドカバーを投影窓のバリアとして用いることができるため、別途バリア機構を設ける必要がない。
【００１７】
なお、上述の実施の形態においては、切換ボタン２２の操作によりスライドカバー１２を移動しプロジェクタモードとする構成を例に説明したが、スライドカバー１２の開閉を手動で行うようにしてもよい。この場合には、開口部８の周縁の少なくとも１ヶ所に例えば、閉状態において押圧されるスイッチ等の開閉センサを設け、開状態である場合にはプロジェクタモードとする構成としてもよい。また、この場合には切換ボタン２２を備えない構成としてもよい。また、スライドカバー１２により覆われる筐体４の前面（図１における前面左側）に開状態において押圧されるスイッチ等の開閉センサを設けるようにしてもよい。
【００１８】
また、上述の実施の形態においてプロジェクタモードでの起動時に切換ボタン２２または電源スイッチ１６が押された直後にスライドカバー１２を閉じる構成としたが、切換ボタン２２または電源スイッチ１６が押された後ＬＥＤ３２から発生した熱を十分に放出し筐体４の内部を冷却した後にスライドカバー１２を閉じる構成としてもよい。
【００１９】
次に、図面を参照して本発明の第２の実施の形態に係るカメラについて説明する。なお、この第２の実施の形態に係るカメラの構成は、第１の実施の形態に係るカメラのスライドカバーを回転扉に変更したものである。従って、上述のカメラ２と同一の構成についての詳細な説明は省略し、異なる部分のみについて詳細に説明する。また、上述のカメラ２の構成と同一の構成には同一の符号を付して説明する。
【００２０】
図３は、第２の実施の形態に係るカメラの前面を示す斜視図である。カメラ４４は、筐体４を備え、筐体４の前面には、開口部８、撮影窓１０、フラッシュ窓１４、図示しないヒンジにより取り付けられ、回転により開口部８の開閉を行う回転扉４６が備えられている。また、筐体４の上面には、電源スイッチ１６、レリーズボタン１８、フォーカスレバー２０、切換ボタン２２が備えられ、筐体４の内部には投影窓４２を備えるプロジェクタユニット３０、図示しない鏡筒ユニット２８が収容されている。
【００２１】
本実施の形態に係るカメラにおいては、電源スイッチ１６の操作により撮影モードとして起動し、切換ボタン２２が操作されると、回転扉４６は閉状態から図３に示す矢印の方向へ回転し、筐体４の前面左側に接触した開状態となり、プロジェクタモードに切り換えられる。また、このとき、ＬＥＤ３２を点灯し投影を開始してもよい。この場合には、ＬＥＤ３２から発生する熱は開口部８から筐体４の外部へ放出される。
【００２２】
プロジェクタモードでの起動中に切換ボタン２２が操作されると、回転扉４６は開状態から図３に示す矢印とは逆方向へ回転することにより閉状態となり、撮影モードに切り換えられる。また、プロジェクタモードでの起動中に電源スイッチ１６が操作された場合には、回転扉４６は開状態から図３に示す矢印とは逆方向へ回転することにより閉状態とし、カメラ４４の電源のオフを行う。
【００２３】
本実施の形態に係るカメラによれば、さらに簡単な構造で光源から発生する熱を外部に放出することができる。
【００２４】
なお、上述の実施の形態においては、切換ボタン２２の操作により回転扉４６を移動しプロジェクタモードとする構成を例に説明したが、回転扉４６の開閉を手動で行うようにしてもよい。この場合には、開口部８の周縁の少なくとも１ヶ所に例えば、閉状態において押圧されるスイッチ等の開閉センサを設け、開状態である場合にはプロジェクタモードとする構成としてもよい。また、この場合には切換ボタン２２を備えない構成としてもよい。また、回転扉４６により覆われる筐体４の前面（図３における前面左側）に開状態において押圧されるスイッチ等の開閉センサを設けるようにしてもよい。
【００２５】
また、上述の実施の形態においてプロジェクタモードでの起動時に切換ボタン２２または電源スイッチ１６が押された直後に回転扉４６を閉じる構成としたが、切換ボタン２２または電源スイッチ１６が押された後ＬＥＤ３２から発生した熱を十分に放出し筐体４の内部を冷却した後に回転扉４６を閉じる構成としてもよい。
【００２６】
次に、図面を参照して本実施の第３の実施の形態に係るカメラについて説明する。この第３の実施の形態に係るカメラの構成は、第２の実施の形態に係るカメラの鏡筒ユニットを沈胴式の鏡筒を備える撮像ユニットに変更し、回転扉を筐体の側面に設ける構成としたものである。従って、上述のカメラ４４と同一の構成についての詳細な説明は省略し、異なる部分のみについて詳細に説明する。また、上述のカメラ４４の構成と同一の構成には同一の符号を付して説明する。
【００２７】
図４は、第３の実施の形態に係るカメラの前面を示す斜視図である。カメラ４８は、筐体４を備え、筐体４の前面には沈胴式の鏡筒を備える撮像ユニットの撮影レンズ５０、フラッシュ窓１４が備えられ、筐体４の上面には電源スイッチ１６、レリーズボタン１８、フォーカスレバー２０、切換ボタン２２が備えられている。また、筐体４の側面には、開口部５２が設けられ、開口部５２の開閉を行う回転扉５４が図示しないヒンジを介して回転可能に取り付けられている。また、筐体４の内部には投影窓４２を備えるプロジェクタユニット５６が収容されている。
【００２８】
なお、プロジェクタユニット５６は、第２の実施の形態に係るプロジェクタユニット３０が備える図示しないミラーによる投影画像の反射方向を変更し、投影窓４２の取付位置を変更したものである。
【００２９】
本実施の形態に係るカメラにおいては、電源スイッチ１６の操作により撮影モードとして起動し、切換ボタン２２が操作されると、回転扉５４は閉状態から図４に示す矢印の方向へ回転し、筐体４の背面に接触した開状態となり、プロジェクタモードに切り換えられる。また、このとき、ＬＥＤ３２を点灯し投影を開始してもよく、ＬＥＤ３２から発生する熱は開口部５２から筐体４の外部へ放出される。
【００３０】
プロジェクタモードでの起動中に切換ボタン２２が操作されると、回転扉５４は開状態から図４に示す矢印とは逆方向へ回転することにより閉状態となり、撮影モードに切り換えられる。また、プロジェクタモードでの起動中に電源スイッチ１６が操作された場合には、回転扉５４は開状態から図４に示す矢印とは逆方向へ回転することにより閉状態とし、カメラ４８の電源のオフを行う。
【００３１】
なお、上述の実施の形態においては、切換ボタン２２の操作により回転扉５４を移動しプロジェクタモードとする構成を例に説明したが、回転扉５４の開閉を手動で行うようにしてもよい。この場合には、開口部５２の周縁の少なくとも１ヶ所に例えば、閉状態において押圧されるスイッチ等の開閉センサを設け、開状態である場合にはプロジェクタモードとする構成としてもよい。また、この場合には切換ボタン２２を備えない構成としてもよい。また、回転扉５４により覆われる筐体４の背面に開状態において押圧されるスイッチ等の開閉センサを設けるようにしてもよい。
【符号の説明】
【００３２】
２…カメラ、４…筐体、８…開口部、１０…撮影窓、１２…スライドカバー、１６…電源スイッチ、２２…切換ボタン、３０…プロジェクタユニット、３２…ＬＥＤ、３８…ＬＣＯＳ、４２…投影窓。
【図１】
2010181758.tif 000003
【図２】
2010181758.tif 000004
【図３】
2010181758.tif 000005
【図４】
2010181758.tif 000006